(57)【要約】      （修正有）【課題】自発的な組み立ても可能にした夢のある子供用組立遊具を提供する。【解決手段】子供用組立遊具は、縦型で対面連結した一対のＨ型エンドプレート１３に複数の連結用の貫通穴ＫＨを穿設し反対面側（外面）に連結用の貫通穴ＫＨを穿設した複数の連結用突起１５を設けた基台１０を単数又は複数台設け、その貫通穴ＫＨに、連結具により（１）滑り用湾曲プレートの側枠、（２）太鼓橋の側枠を連結、（３）ネット渡り橋の側枠、（４）ウエーブ橋の側枠、（５）クネクネ橋の側枠、（６）肋木梯子、（７）クライムウオールの一つ以上を連結可能に構成した。【選択図】図１
2015223498.tif 000002
【特許請求の範囲】
【請求項１】
子供用組立遊具の基台は、縦型にして対面し対面間の上部間を座面部材で連結し下部間を補強部材で連結したさせた一対のＨ型エンドプレートからなり、前記各Ｈ型エンドプレートは、全端面に丸みを付けかつ貫通した複数の連結用の貫通穴を穿設すると共に、反対面側（外面）に複数の連結用突起を設け、この連結用突起に連結用の貫通穴を穿設し、前記基台の各Ｈ型エンドプレートの貫通穴に連結具により次の何れか一つ以上を連結し
（１）両側に前記連結具用の貫通穴を有する保持枠を設けた滑り台用湾曲プレート
（２）両側に前記連結具用の貫通穴を有する保持枠を設けた太鼓橋
（３）両側に前記連結具用の貫通穴を有する保持枠を設けたネット渡り橋
（４）両側に前記連結具用の貫通穴を有する保持枠を設けたウエーブ橋
（５）両側に前記連結具用の貫通穴を有する保持枠を設けたクネクネ（蛇行）橋
（６）両側に前記連結具用の貫通穴を有する保持枠間に肋木を設けた太鼓肋木
前記連結具は、後部に一方の貫通穴の入口周面に当接する鍔を形成しその顎に前記一    方と他方の貫通穴に嵌入する嵌入連結部を形成し前記他の挿入穴から突出する部分に    雄螺合部を形成したボルトと、前記他方の貫通穴の出口周面に緩み防止パッキンを介    して当接する鍔を形成し前記ボルトの雄螺合部に螺合する雌螺合部を形成したキャッ    プ状のナットとを設けてなることを特徴とする子供用組立遊具。
【請求項２】
子供用組立遊具の基台は、縦型にして対面し対面間の上部間を座面部材で連結し下部間を補強部材で連結したさせた一対のＨ型エンドプレートからなり、前記各Ｈ型エンドプレートは、全端面に丸みを付けかつ貫通した複数の連結用の貫通穴を穿設すると共に、反対面側（外面）に複数の連結用突起を設け、この連結用突起に連結用の貫通穴を穿設し、前記各貫通穴に回転防止部を形成してなり、
前記基台の各Ｈ型エンドプレートの連結用突起の貫通穴に連結具により次の何れか一つ以上に連結し、
（１）両側にスタンドを有しスタンド間に複数本の肋木を平行配置し当該スタンドに          前記連結具用の貫通穴を有する肋木梯子、
（２）両側に前記連結具用の貫通穴を有するスタンドを設け当該タンド間において複          数個のクライム用突起を設けたボードを配置したクライムウオール、
前記連結具は、後部に一方の貫通穴の入口周面に当接する鍔を形成しその顎に前記一方と他方の貫通穴に嵌入する嵌入連結部を形成し前記他の挿入穴から突出する部分に雄螺合部を形成したボルトと、前記他方の貫通穴の出口周面に緩み防止パッキンを介して当接する鍔を形成し前記ボルトの雄螺合部に螺合する雌螺合部を形成したキャップ状のナットとを設けてなることを特徴とする子供用組立遊具。
【請求項３】
前記基台を複数台設け、当該基台間に次の何れか一つを
（１）滑り用湾曲プレート
（２）太鼓橋
（３）ネット渡り橋
（４）ウエーブ橋
（５）クネクネ橋
（６）太鼓肋木
前記連結具により着脱可能に連結することを特徴とする請求項１に記載の子供用組立遊具。
【発明の詳細な説明】
【技術分野】
【０００１】  本発明は、子供の成長に合わせて変化自在に組み立て利用できる子供用組立遊具に関するものである。
【背景技術】
【０００２】遊具とまでもいかないが、子供用の組立家具として過去に、（１）脚に積木式ブロックを用いた机や椅子、（２）平板座面の下の脚部分に長さ調節手段を設けた机や椅子が紹介されている。【０００３】前記（１）の机や椅子は、特開平８−２３８１４８号公報にて「積木脚を備えた幼児用家具及びその構成部材」として紹介されており、資源の無駄の排除、幼児の成長に応じて机や椅子の高さを換え、経済的負担も生じないことを目的に、小口面に孔や突起を設けた積木式ブロックを、透孔を備えたプレートとピンを用いて多様に積んで机や椅子の脚とする発明である。【０００４】前記（２）の机や椅子は、特開平１０−２３４５２８号公報にて「幼児用家具」として紹介されており、幼児が成長しても膝と座面とが当接せず、且つ、座る際に所定寸法以上の空間を必要とすることが無い様な幼児用家具の提供を目的として、座面の平板部分とその平板部分から下方に延びる脚部分を有する幼児用家具において、その脚部分に長さを調節する調節手段を設けた発明である。
いずれも「子供の成長に合わせて組み立てる幼児用家具」とは言え、用途が机や椅子に限定されており、夢のある「遊具的な変更展開ができる」家具には程遠い。
従って、子供の遊びニーズ及び必要に応じて目的単位に多くの幼児用家具を揃える結果となる。
【発明の概要】
【発明が解決しようとする課題】
【０００５】本発明は、少ない組み立て部材によって、子供の成長に合わせて次の条件を満たす夢のある子供用組立遊具を提供するものである。
１）、安全であること。
２）、子供の自由な生活行動を可能にすると共に遊び行動も満足させることができること。
３）、子供の生活・遊び行動に応じて子供の目前で用途に応じて組み立て変換して、発想の転換と興味と思考力およびチャレンジ精神の醸成を、自然体で感じさせること。
４）、３）を通じて子供が自発的に組み立て可能な家具に変更できること。
【課題を解決するための手段】
【０００６】上記課題を満足させる本発明の子供用組立遊具における特徴は次の（１）〜（６）の通りである。【０００７】（Ａ）、子供用組立遊具の基台は、縦型にして対面し対面間の上部間を座面部材で連結し下部間を補強部材で連結したさせた一対のＨ型エンドプレートからなり、前記各Ｈ型エンドプレートは、全端面に丸みを付けかつ貫通した複数の連結用の貫通穴を穿設すると共に、反対面側（外面）に複数の連結用突起を設け、この連結用突起に連結用の貫通穴を穿設し、前記基台の各Ｈ型エンドプレートの貫通穴に連結具により次の何れか一つ以上を連結し
（１）両側に前記連結具用の貫通穴を有する保持枠を設けた滑り台用湾曲プレート
（２）両側に前記連結具用の貫通穴を有する湾曲型保持枠の間に渡り棒と湾曲板を設          けた太鼓橋
（３）両側に前記連結具用の貫通穴を有する保持枠の間にネットを張設したネット渡          り橋
（４）両側に前記連結具用の貫通穴を有するウエーブ枠の間に渡り棒を設けたウエー          ブ橋
（５）両側に前記連結具用の貫通穴を有する蛇行渡り板を有するクネクネ（蛇行）橋
（６）両側に前記連結具用の貫通穴を有する湾曲型保持枠の間に肋木を設けた太鼓肋          木
前記連結具は、後部に一方の貫通穴の入口周面に当接する鍔を形成しその顎に前記一方と他方の貫通穴に嵌入する嵌入連結部を形成し前記他の挿入穴から突出する部分に雄螺合部を形成したボルトと、前記他方の貫通穴の出口周面に緩み防止パッキンを介して当接する鍔を形成し前記ボルトの雄螺合部に螺合する雌螺合部を形成したナットとを設けてなることを特徴とする子供用組立遊具。【０００８】（Ｂ）、子供用組立遊具の基台は、縦型にして対面し対面間の上部間を座面部材で連結し下部間を補強部材で連結したさせた一対のＨ型エンドプレートからなり、前記各Ｈ型エンドプレートは、全端面に丸みを付けかつ貫通した複数の連結用の貫通穴を穿設すると共に、反対面側（外面）に複数の連結用突起を設け、この連結用突起に連結用の貫通穴を穿設し、前記基台の各Ｈ型エンドプレートの連結用突起の貫通穴に連結具により次の何れか一つ以上に連結し、
（１）両側にスタンドを有しスタンド間に複数本の肋木を平行配置し当該スタンドに          前記連結具用の貫通穴を有する肋木梯子、
（２）両側に前記連結具用の貫通穴を有するスタンドを設け当該タンド間において複          数個のクライム用突起を設けたボードを配置したクライムウオール、
前記連結具は、後部に一方の貫通穴の入口周面に当接する鍔を形成しその顎に前記一方と他方の貫通穴に嵌入する嵌入連結部を形成し前記他の挿入穴から突出する部分に雄螺合部を形成したボルトと、前記他方の貫通穴の出口周面に緩み防止パッキンを介して当接する鍔を形成し前記ボルトの雄螺合部に螺合する雌螺合部を形成したキャップ状のナットとを設けてなることを特徴とする子供用組立遊具。【０００９】（Ｃ）、前記基台を複数台設け、当該基台間に次の前記の何れか一つ以上を
（１）滑り用湾曲プレート
（２）太鼓橋
（３）ネット渡り橋
（４）ウエーブ橋
（５）クネクネ橋
（６）太鼓肋木
前記連結具により着脱可能に連結することを特徴とする前記（Ａ）に記載の子供用組立遊具。
【発明の効果】
【００１０】本発明の子供用組立遊具は、前記基台を単数又は複数台設け、その前記貫通穴に連結具により前記（１）滑り用湾曲プレート、（２）太鼓橋、（３）ネット渡り橋、（４）ウエーブ橋、（５）クネクネ橋、（６）肋木梯子、（７）クライムウオールの一つ以上を、自由に任意に選択して、各種例の安全で夢のある楽しいアスレチック調の遊具に迅速安全に容易に組み立てることが出来るのである。
これにより本発明の子供用組立遊具は、子供たちが見るだけでなく、自由に触れて、乗ったり揺すったり動かしたり乗ったり歩いたりすることができるため、多くの遊び心とチャレンジ性を通じて応用学習をすることができる等の優れた作用効果がある。【００１１】  前記基台の一対のＨ型エンドプレートは、その各々の表裏面を平面にし、表裏面間の全端面を好ましくは曲面にした丸みを付けたＨ型プレートとすることにより堅牢でしかも抵抗なく安全に取り扱うことができる。また両表面の縁部に複数の貫通穴を穿設して前記連結具で緊締して保形したので、使用中に外れることなく、緩まることもなく変形させることもなく安全性を確保するのである。更にシステム的に組み合わせて子供の興味を抱かせチャレンジ精神と運動神経を活性化するなど、活用バリエーションを倍加するのである。【００１２】前記連結具は、基台のＨ型エンドプレートと前記各種の橋や滑り台、肋木梯子、クライムウオールなどを任意に選択連結するものであり、Ｈ型エンドプレートや橋側枠に設けた前記挿入穴に嵌める部分と前記緩み防止パッキン付のキャップ状のナットの構成により、子供たちのあらゆる無茶な取り扱いに対して安全に緊締連結しその状態を保持するものである。また着脱は後述の簡単構造のスパナＳＰ等で簡単に可能である。【００１３】  おもな組み立て構造は次の各実施例があげられるが、これはほんの一例であり、色々なバリエーションが多く、子供たちの創造に任せて色々組み立てて見せたり、実際に組み立てさせることができる等の教材的な役割を十分に果たすものである。
【図面の簡単な説明】
【００１４】
【図１】本発明の子供用組立遊具の各組み立てパーツの基台１０を示す斜視説明図である。
【図２】本発明の子供用組立遊具の各組み立てパーツの肋木梯子２０を示す斜視説明図である。
【図３】本発明の子供用組立遊具の各組み立てパーツのクライムウオール３０を示す斜視説明図である。
【図４】本発明の子供用組立遊具の各組み立てパーツの滑り台用湾曲プレート４０を示す斜視説明図である。
【図５】本発明の子供用組立遊具の各組み立てパーツの太鼓橋５０を示す斜視説明図である。
【図６】本発明の子供用組立遊具の各組み立てパーツのネット渡り橋６０を示す斜視説明図である。
【図７】本発明の子供用組立遊具の各組み立てパーツのウエーブ橋７０を示す斜視説明図である。
【図８】本発明の子供用組立遊具の各組み立てパーツのクネクネ（蛇行）橋８０を示す斜視説明図である。
【図９】本発明の子供用組立遊具の各組み立てパーツの太鼓肋木９０を示す斜視説明図である。
【図１０】本発明の子供用組立遊具の各組み立てパーツの連結具３００を分を示す斜視説明図である。
【図１１】組み立て例１を示す斜視説明図である。
【図１２】組み立て例２を示す斜視説明図である。
【図１３】組み立て例３を示す斜視説明図である。
【図１４】組み立て例４を示す斜視説明図である。
【図１５】組み立て例５を示す斜視説明図である。
【図１６】組み立て例６を示す斜視説明図である。
【図１７】組み立て例７を示す斜視説明図である。
【図１８】組み立て例８を示す斜視説明図である。
【発明を実施するための形態】
【００１５】本発明を実施するための形態を実施例１及び実施例２により詳細に説明する。
【実施例１】
【００１６】図１〜図９には、本発明の実施例１の子供用組立遊具の各組み立てパーツを紹介し、これらを適宜組み合わせた組立遊具の楽しい遊具例を図１０〜図１６にて紹介する。
本例の子供用組立遊具のパーツの例は、図１に示す基台１０と、図２に示す肋木梯子２０と、図３に示すクライムウオール３０と、図４に示す滑り台用湾曲プレート４０と、図５に示す太鼓橋５０と、図６に示すネット渡り橋６０と、図７に示すウエーブ橋７０と、図８に示すクネクネ（蛇行）橋８０と、図９に示す太鼓肋木１００と、これらを適宜に連結するための連結具３００を図１０とからなる。【００１７】図１に示す基台１０は、縦型にして対面し、対面間の上部間を座面部材１１で連結し下部間を補強部材１２で連結させた一対のＨ型エンドプレート１３からなる堅牢構造であり抵抗なく安全に取り扱うことができる。
基台１０の前記各Ｈ型エンドプレート１３は、全端面に丸みを付けかつ貫通した複数の連結用の貫通穴ＫＨを穿設すると共に、反対面側（外面）に複数の連結用突起１５を設け、この連結用突起１５に連結用の貫通穴ＫＨを穿設し、本例の前記各貫通穴ＫＨには回転防止部ＫＨＲを形成してなる。
Ｈ型エンドプレート１３は、子供に優しい各種カラー素板を複数枚合わせ端面がカラー層状の軽量堅牢な木製合板、各種カラーの単木製やプラスチック製、軽金属製等を用いる。側面には動物絵、風景絵、幾何学的模様、漫画等々楽しい絵を描き子供たちの色彩感覚や絵画感覚を醸成することができる。【００１８】図２に示す縦型の肋木梯子２０は、両側にスタンド２１を有し、スタンド２１間に登り用と、くぐり用の複数本の肋木２２を平行配置し、当該スタンド２１に前記Ｈ型エンドプレート１３の連結用突起１５の連結用の貫通穴ＫＨに前記連結具３００を貫通する同形状の貫通穴ＫＨを有する。【００１９】図３に示すクライムウオール３０は、両側に前記Ｈ型エンドプレート１３の連結用突起１５の連結用の貫通穴ＫＨに貫通する前記連結具３００用の貫通穴ＫＨを有するスタンド３２を設け、当該タンド３２間において複数個のクライム用突起３３を設けたボード３４を配置してなる。  ボード３４の上には肋木３１が渡してある。【００２０】図４に示す滑り台用湾曲プレート４０は、連結具３００用の貫通穴ＫＨを有する保持枠４２つまり手摺り枠を両側に設けてある。滑り台用湾曲プレート４０は表面の滑り面板４１を平面状又は湾曲面状（図例）に形成し、保持枠４２の上端部の貫通穴ＫＨを、Ｈ型エンドプレート１３の上部の貫通穴ＫＨに連結具３００で連結し、下端部を、床面や地面に当接させて滑り台を構成する。【００２１】図５に示す太鼓橋５０は、両側に前記連結具３００用の貫通穴ＫＨを有する上反り湾曲型保持枠５１の間に平行に渡り棒５２と湾曲板５３を設けてある。【００２２】図６に示すネット渡り橋６０は、両側に前記連結具３００用の貫通穴ＫＨを有する保持枠６１の間に前後補強梁６２を連結し防護ネット６３を張設してある。【００２３】図７に示すウエーブ橋７０は、前後両側に前記連結具３００用の貫通穴ＫＨを有するウエーブ型保持枠７１の間に複数の渡り板７２を平行に設けてある。【００２４】図８に示すクネクネ（蛇行）橋８０は、下板８１の前後に連結アーム８２を設け、各連結アーム８２の両側に前記連結具３００用の貫通穴ＫＨを設け、下板８１の上に蛇行板８３、８４を配置してある。【００２５】図９に示す太鼓肋木９０は、両側に前記連結具用の貫通穴ＫＨを有する湾曲型保持枠９１の間に渡り肋木９２を配置してある。【００２６】図１０に示す連結具３００は、材質を軽量堅牢な木製、プラスチック製、軽金属製等から形成して、基台１０に設けた任意の貫通穴ＫＨと、肋木梯子２０、クライムウオール３０、滑り台用湾曲プレート４０、太鼓橋５０、ネット渡り橋６０、ウエーブ橋７０、クネクネ（蛇行）橋８０、太鼓肋木９０等に設けた貫通穴ＫＨとを連結具３００により強固に連結するものである。
この連結具３００の構造は、後部に一方の貫通穴ＫＨの入口周面に当接する鍔３０１を形成し、その顎３０１に前記一方と他方の貫通穴ＫＨの回転防止部ＫＨＲにはまる被回転防止部ＡＲＫを形成した嵌入部３０２を有し、この嵌入部３０２に続いて前記他方の挿入穴ＫＨから突出する部分に雄螺合部３０４を形成したボルト３１０と、前記他方の貫通穴ＫＨの出口周面に緩み防止パッキン３０５を介して当接する鍔３０６付きキャップ３０７を形成し前記ボルト３１０の雄螺合部３０４に螺合する雌螺合部３０８を形成したキャップ状のナット３２０とを設けてなる。前記ナット３２０の緩み防止パッキン３０５は鍔３０６との挟持の祭及び挟持後に外力が加わってもクッション効果により吸収してＨ型エンドプレート１３を圧潰することはない。このナット３２０には円形のスパナＳＰの突起ＳＰ−１を挿入する穴３２１が設けられ、スパナＳＰによる回転締めと緩めが可能になっている。【００２７】＜組み立て例１＞
図１１にて、基台１０の前部上端部の貫通穴ＫＨに、滑り台用湾曲プレート４０の上部の貫通穴ＫＨを連結具３００で連結した組み立て例１を紹介する。【００２８】＜組み立て例２＞
図１２に、基台１０の前部上端部の貫通穴ＫＨに、太鼓橋５０の上部の貫通穴ＫＨを連結具３００で連結した組み合わせ例を紹介してある。【００２９】＜組み立て例３＞
図１３に、基台１０の上端部の貫通穴ＫＨに滑り台用湾曲プレート４０の上部の貫通穴ＫＨを連結具３００で連結し、基台１０の側部の連結用突起１５の貫通穴ＫＨに、クライムウオール３０のスタンド２１の貫通穴ＫＨを連結具３００で連結した組み合わせ例を紹介してある。【００３０】＜組み立て例４＞
図１４に、基台１０上端部の貫通穴ＫＨに滑り台用湾曲プレート４０の上部の貫通穴ＫＨを連結具３００で連結し、基台１０の側部の連結用突起１５の貫通穴ＫＨに、肋木梯子２０のスタンド３２の貫通穴ＫＨを連結具３００で連結した組み合わせ例を紹介してある。【００３１】＜組み立て例５＞
図１５に、基台１０の上端部の貫通穴ＫＨに滑り台用湾曲プレート４０の上部の貫通穴ＫＨを連結具３００で連結し、基台１０の一側部の連結用突起１５の貫通穴ＫＨに、クライムウオール３０のスタンド２１の貫通穴ＫＨを連結具３００で連結し、基台１０の他側部の連結用突起１５の貫通穴ＫＨに、肋木梯子２０のスタンド３２の貫通穴ＫＨを連結具３００で連結した組み合わせ例を紹介してある。【００３２】＜組み立て例６＞
図１６に、二台の基台１０を用いて一方の基台１０の上部の貫通穴ＫＨに滑り台用湾曲プレート４０の貫通穴ＫＨを連結具３００で連結し、両方の基台１０の貫通穴ＫＨ間にネット渡り橋６０の貫通穴ＫＨを連結具３００で渡し連結し、他方の基台１０の上部の貫通穴ＫＨに太鼓肋木１００の貫通穴ＫＨを連結具３００で連結した組み合わせ例を紹介してある。【００３３】＜組み立て例７＞
図１７に、図１６図例に加えて他方の基台１０と三台めの基台１０の貫通穴ＫＨ間に太鼓橋５０の貫通穴ＫＨを連結具３００で連結した組み合わせ例を紹介してある。【００３４】＜組み立て例８＞
図１８に、三台の基台１０の貫通穴ＫＨとネット渡り橋６０の貫通穴ＫＨと太鼓橋５０の貫通穴ＫＨと太鼓肋木１００の貫通穴ＫＨとクネクネ（蛇行）橋８０の貫通穴ＫＨとウエーブ橋９０の貫通穴ＫＨと滑り台用湾曲プレート４０の貫通穴ＫＨとをそれぞれ連結具３００で連結した組み合わせ例を紹介してある。
このように遊戯場のスペースに応じた各種の組み合わせにより多種多様の楽しく心躍る楽しさ一杯の遊戯施設が迅速簡単に構成することができるため、夢のある子供たちの教養と醸成とチャレンジ性を醸し出す楽園を自由自在になし得る優れた作用効果を得ることができるものである。
【産業上の利用可能性】
【００３５】  本発明の子供用の組立遊具は、前記の優れた作用効果を呈するため、幼稚園、保育園などの幼児教育施設に広く活用され教育産業界を始め家具産業界及び遊具産業界に貢献すること多大なものがある。
【符号の説明】
【００３６】１０：基台
２０：肋木梯子
３０：クライムウオール
４０：滑り台用湾曲プレート
５０：太鼓橋
６０：ネット渡り橋
７０：ウエーブ橋
８０：クネクネ（蛇行）橋
９０：太鼓梯子
３００：連結具
【図１】
2015223498.tif 000003
【図２】
2015223498.tif 000004
【図３】
2015223498.tif 000005
【図４】
2015223498.tif 000006
【図５】
2015223498.tif 000007
【図６】
2015223498.tif 000008
【図７】
2015223498.tif 000009
【図８】
2015223498.tif 000010
【図９】
2015223498.tif 000011
【図１０】
2015223498.tif 000012
【図１１】
2015223498.tif 000013
【図１２】
2015223498.tif 000014
【図１３】
2015223498.tif 000015
【図１４】
2015223498.tif 000016
【図１５】
2015223498.tif 000017
【図１６】
2015223498.tif 000018
【図１７】
2015223498.tif 000019
【図１８】
2015223498.tif 000020
【手続補正書】
【提出日】平成26年12月13日(2014.12.13)
【手続補正１】
【補正対象書類名】特許請求の範囲
【補正対象項目名】全文
【補正方法】変更
【補正の内容】
【特許請求の範囲】
【請求項１】
子供用組立遊具の基台（１０）は、一対のＨ型エンドプレート（１３）を鉛直状態にして互いに平行に対面して配置し、前記各Ｈ型エンドプレート（１３）の対面している裏面（１３ｂ）間の上部を座面部材（１１）で連結しその下方を補強部材（１２）で連結してなり、前記各Ｈ型エンドプレート（１３）は、全端部（１３ｅ）に丸みを付け、回転防止部（ＫＨＲ）を形成した複数の連結用の貫通穴（ＫＨ）を穿設すると共に、対面していない表面（１３ａ）に複数の連結用突起（１５）を設け、前記連結用突起（１５）に回転防止部（ＫＨＲ）を形成した連結用の貫通穴（ＫＨ）を穿設し、
前記Ｈ型エンドプレート（１３）の連結用突起（１５）の貫通穴（ＫＨ）に、次の肋木梯子（２０）及び／又はクライムウオール（３０）の貫通穴（ＫＨ）を連結具（３００）により連結し、
（１）前記連結具（３００）用で回転防止部（ＫＨＲ）を形成した貫通穴（ＫＨ）を有するスタンド（２１）を両側に設け、当該スタンド（２１）間において、複数本の肋木（２２）を平行配置した肋木梯子（２０）、
（２）前記連結具（３００）用で回転防止部（ＫＨＲ）を形成した貫通穴（ＫＨ）を有するスタンド（３２）を両側に設け、当該スタンド間において複数個のクライム用突起（３３）を設けたボード（３４）を配置したクライムウオール（３０）、
前記連結具（３００）は、後部に一方の貫通穴（ＫＨ）の入口周面に当接する鍔（３０１）を形成し、その顎（３０１）に前記一方と他方の貫通穴（ＫＨ）の回転防止部（ＫＨＲ）にはまる被回転防止部（ＡＲＫ）を形成した嵌入部（３０２）を有し、この嵌入部（３０２）に続いて前記他方の挿入穴（ＫＨ）から突出する部分に雄螺合部（３０４）を形成したボルト（３１０）と、前記他方の貫通穴（ＫＨ）の出口周面に緩み防止パッキン（３０５）を介して当接し前記ボルト（３１０）の雄螺合部（３０４）に螺合する雌螺合部（３０８）を形成し表面を安全な半球面状（３０７）にした鍔（３０６）付きナット（３２０）を設けてなることを特徴とする子供用組立遊具。
【請求項２】
前記Ｈ型エンドプレート（１３）の貫通穴（ＫＨ）及び／又は前記連結用突起（１５）の貫通穴（ＫＨ）に前記連結具（３００）により、次の滑り台用湾曲プレート（４０）、太鼓橋（５０）、ネット渡り橋（６０）、ウエーブ橋（７０）、クネクネ（蛇行）橋（８０）、太鼓肋木（９０）の少なくとも一つを連結し、
（１）、前記連結具（３００）用で回転防止部（ＫＨＲ）を形成した貫通穴（ＫＨ）を有する保持枠（４２）を滑り面板（４１）の両側に設けた滑り台用湾曲プレート（４０）、
（２）、前記連結具（３００）用で回転防止部（ＫＨＲ）を形成した貫通穴（ＫＨ）を有する上反り湾曲型保持枠（５１）を湾曲板（５３）の両側に設け、湾曲板（５３）の上面側で上反り湾曲型保持枠（５１）の間に渡り棒（５２）を平行に配置した太鼓橋（５０）、
（３）、前記連結具（３００）用で回転防止部（ＫＨＲ）を形成した貫通穴（ＫＨ）を有する保持枠（６１）を両側に設け、保持枠（６１）間に防護ネット（６３）を張設したネット渡り橋（６０）、
（４）、前記連結具（３００）用で回転防止部（ＫＨＲ）を形成した貫通穴（ＫＨ）を有するウエーブ型保持枠（７１）を両側に設け、ウエーブ型保持枠（７１）の間に複数の渡り板（７２）を平行に設けたウエーブ橋（７０）、
（５）、中央部の長手方向に下板（８１）配置し、下板（８１）の前後に連結アーム（８２）を設け、各連結アーム（８２）の両側に前記連結具（３００）用で回転防止部（ＫＨＲ）を形成した貫通穴（ＫＨ）を設け、前記下板（８１）の上に蛇行板（８３）、（８４）を配置したクネクネ（蛇行）橋（８０）、
（６）、前記連結具（３００）用で回転防止部（ＫＨＲ）を形成した貫通穴（ＫＨ）を有する湾曲型保持枠（９１）を両側に配置し、湾曲型保持枠（９１）の間に渡り肋木（９２）を配置した太鼓肋木（９０）、
てなることを特徴とする請求項１に記載の子供用組立遊具。
【請求項３】
前記基台（１０）を複数台設け、基台（１０）間に当該Ｈ型エンドプレート（１３）の貫通穴（ＫＨ）及び／又は前記連結用突起（１５）の貫通穴（ＫＨ）に前記連結具（３００）により前記滑り台用湾曲プレート（４０）、太鼓橋（５０）、ネット渡り橋（６０）、ウエーブ橋（７０）、クネクネ（蛇行）橋（８０）、太鼓肋木（９０）の少なくとも一つを連結してなることを特徴とする請求項２に記載の子供用組立遊具。
【手続補正２】
【補正対象書類名】明細書
【補正対象項目名】全文
【補正方法】変更
【補正の内容】
【発明の詳細な説明】
【技術分野】
【０００１】  本発明は、子供の成長に合わせて変化自在に組み立て利用できる子供用組立遊具に関するものである。
【背景技術】
【０００２】遊具とまでもいかないが、子供用の組立家具として過去に、（１）脚に積木式ブロックを用いた机や椅子、（２）平板座面の下の脚部分に長さ調節手段を設けた机や椅子が紹介されている。【０００３】前記（１）の机や椅子は、特開平８−２３８１４８号公報にて「積木脚を備えた幼児用家具及びその構成部材」として紹介されており、資源の無駄の排除、幼児の成長に応じて机や椅子の高さを換え、経済的負担も生じないことを目的に、小口面に孔や突起を設けた積木式ブロックを、透孔を備えたプレートとピンを用いて多様に積んで机や椅子の脚とする発明である。【０００４】前記（２）の机や椅子は、特開平１０−２３４５２８号公報にて「幼児用家具」として紹介されており、幼児が成長しても膝と座面とが当接せず、且つ、座る際に所定寸法以上の空間を必要とすることが無い様な幼児用家具の提供を目的として、座面の平板部分とその平板部分から下方に延びる脚部分を有する幼児用家具において、その脚部分に長さを調節する調節手段を設けた発明である。
いずれも「子供の成長に合わせて組み立てる幼児用家具」とは言え、用途が机や椅子に限定されており、夢のある「遊具的な変更展開ができる」家具には程遠い。
従って、子供の遊びニーズ及び必要に応じて目的単位に多くの幼児用家具を揃える結果となる。
【発明の概要】
【発明が解決しようとする課題】
【０００５】本発明は、少ない組み立て部材によって、子供の成長に合わせて次の条件を満たす夢のある子供用組立遊具を提供するものである。
１）、安全であること。
２）、子供の自由な生活行動を可能にすると共に遊び行動も満足させることができること。
３）、子供の生活・遊び行動に応じて子供の目前で用途に応じて組み立て変換して、発想の転換と興味と思考力およびチャレンジ精神の醸成を、自然体で感じさせること。
４）、３）を通じて子供が自発的に組み立て可能な家具に変更できること。
【課題を解決するための手段】
【０００６】上記課題を満足させる本発明の子供用組立遊具における特徴は次の（Ａ）〜（Ｃ））の通りである。【０００７】（Ａ），子供用組立遊具の基台（１０）は、一対のＨ型エンドプレート（１３）を鉛直状態にして互いに平行に対面して配置し、前記各Ｈ型エンドプレート（１３）の対面している裏面（１３ｂ）間の上部を座面部材（１１）で連結しその下方を補強部材（１２）で連結してなり、前記各Ｈ型エンドプレート（１３）は、全端部（１３ｅ）に丸みを付け、回転防止部（ＫＨＲ）を形成した複数の連結用の貫通穴（ＫＨ）を穿設すると共に、対面していない表面（１３ａ）に複数の連結用突起（１５）を設け、前記連結用突起（１５）に回転防止部（ＫＨＲ）を形成した連結用の貫通穴（ＫＨ）を穿設し、
前記Ｈ型エンドプレート（１３）の連結用突起（１５）の貫通穴（ＫＨ）に、次の肋木梯子（２０）及び／又はクライムウオール（３０）の貫通穴（ＫＨ）を連結具（３００）により連結し、
（１）前記連結具（３００）用で回転防止部（ＫＨＲ）を形成した貫通穴（ＫＨ）を有するスタンド（２１）を両側に設け、当該スタンド（２１）間において、複数本の肋木（２２）を平行配置した肋木梯子（２０）、
（２）前記連結具（３００）用で回転防止部（ＫＨＲ）を形成した貫通穴（ＫＨ）を有するスタンド（３２）を両側に設け、当該スタンド間において複数個のクライム用突起（３３）を設けたボード（３４）を配置したクライムウオール（３０）、
前記連結具（３００）は、後部に一方の貫通穴（ＫＨ）の入口周面に当接する鍔（３０１）を形成し、その顎（３０１）に前記一方と他方の貫通穴（ＫＨ）の回転防止部（ＫＨＲ）にはまる被回転防止部（ＡＲＫ）を形成した嵌入部（３０２）を有し、この嵌入部（３０２）に続いて前記他方の挿入穴（ＫＨ）から突出する部分に雄螺合部（３０４）を形成したボルト（３１０）と、前記他方の貫通穴（ＫＨ）の出口周面に緩み防止パッキン（３０５）を介して当接し前記ボルト（３１０）の雄螺合部（３０４）に螺合する雌螺合部（３０８）を形成し表面を安全な半球面状（３０７）にした鍔（３０６）付きナット（３２０）を設けてなることを特徴とする子供用組立遊具。【０００８】（Ｂ），前記Ｈ型エンドプレート（１３）の貫通穴（ＫＨ）及び／又は前記連結用突起（１５）の貫通穴（ＫＨ）に前記連結具（３００）により、次の滑り台用湾曲プレート（４０）、太鼓橋（５０）、ネット渡り橋（６０）、ウエーブ橋（７０）、クネクネ（蛇行）橋（８０）、太鼓肋木（９０）の少なくとも一つを連結し、
（１）、前記連結具（３００）用で回転防止部（ＫＨＲ）を形成した貫通穴（ＫＨ）を有する保持枠（４２）を滑り面板（４１）の両側に設けた滑り台用湾曲プレート（４１）、
（２）、前記連結具（３００）用で回転防止部（ＫＨＲ）を形成した貫通穴（ＫＨ）を有する上反り湾曲型保持枠（５１）を湾曲板（５３）の両側に設け、湾曲板（５３）の上面側で上反り湾曲型保持枠（５１）の間に渡り棒（５２）を平行に配置した太鼓橋（５０）、
（３）、前記連結具（３００）用で回転防止部（ＫＨＲ）を形成した貫通穴（ＫＨ）を有する保持枠（６１）を両側に設け、保持枠（６１）間に防護ネット（６３）を張設したネット渡り橋（６０）、
（４）、前記連結具（３００）用で回転防止部（ＫＨＲ）を形成した貫通穴（ＫＨ）を有するウエーブ型保持枠（７１）を両側に設け、ウエーブ型保持枠（７１）の間に複数の渡り板（７２）を平行に設けたウエーブ橋（７０）、
（５）、中央部の長手方向に下板（８１）配置し、下板（８１）の前後に連結アーム（８２）を設け、各連結アーム（８２）の両側に前記連結具（３００）用で回転防止部（ＫＨＲ）を形成した貫通穴（ＫＨ）を設け、前記下板（８１）の上に蛇行板（８３）、（８４）を配置したクネクネ（蛇行）橋（８０）、
（６）、前記連結具（３００）用で回転防止部（ＫＨＲ）を形成した貫通穴（ＫＨ）を有する湾曲型保持枠（９１）を両側に配置し、湾曲型保持枠（９１）の間に渡り肋木（９２）を配置した太鼓肋木（９０）、
てなることを特徴とする請求項１に記載の子供用組立遊具。【０００９】（Ｃ），前記基台（１０）を複数台設け、基台（１０）間に当該Ｈ型エンドプレート（１３）の貫通穴（ＫＨ）及び／又は前記連結用突起（１５）の貫通穴（ＫＨ）に前記連結具（３００）により前記滑り台用湾曲プレート（４０）、太鼓橋（５０）、ネット渡り橋（６０）、ウエーブ橋（７０）、クネクネ（蛇行）橋（８０）、太鼓肋木（９０）の少なくとも一つを連結してなることを特徴とする請求項１に記載の子供用組立遊具。
【発明の効果】
【００１０】本発明の子供用組立遊具は、前記基台を単数又は複数台設け、その前記貫通穴に連結具により前記（１）滑り用湾曲プレート、（２）太鼓橋、（３）ネット渡り橋、（４）ウエーブ橋、（５）クネクネ橋、（６）肋木梯子、（７）クライムウオールの一つ以上を、自由に任意に選択して、各種例の安全で夢のある楽しいアスレチック調の遊具に迅速安全に容易に組み立てることが出来るのである。
これにより本発明の子供用組立遊具は、子供たちが見るだけでなく、自由に触れて、乗ったり揺すったり動かしたり乗ったり歩いたりすることができるため、多くの遊び心とチャレンジ性を通じて応用学習をすることができる等の優れた作用効果がある。【００１１】  前記基台の一対のＨ型エンドプレートは、その各々の前記表面１３ａと前記裏面１３ｂを平面にし、この表裏面間の全端面１３ｅを好ましくは曲面にした丸みを付けたＨ型エンドプレート１３とすることにより堅牢でしかも抵抗なく安全に取り扱うことができる。また両Ｈ型エンドプレート１３の全端部１３ｅ近傍の縁部に複数の貫通穴を穿設して前記連結具で緊締して保形したので、使用中に外れることなく、緩まることもなく変形させることもなく安全性を確保するのである。更にシステム的に組み合わせて子供の興味を抱かせチャレンジ精神と運動神経を活性化するなど、活用バリエーションを倍加するのである。【００１２】前記連結具は、基台のＨ型エンドプレートと前記各種の橋や滑り台、肋木梯子、クライムウオールなどを任意に選択連結するものであり、Ｈ型エンドプレートや橋側枠に設けた前記挿入穴に嵌める部分と前記緩み防止パッキン付のキャップ状のナットの構成により、子供たちのあらゆる無茶な取り扱いに対して安全に緊締連結しその状態を保持するものである。また着脱は後述の簡単構造のスパナＳＰ等で簡単に可能である。【００１３】  おもな組み立て構造は次の各実施例があげられるが、これはほんの一例であり、色々なバリエーションが多く、子供たちの創造に任せて色々組み立てて見せたり、実際に組み立てさせることができる等の教材的な役割を十分に果たすものである。
【図面の簡単な説明】
【００１４】
【図１】本発明の子供用組立遊具の各組み立てパーツの基台１０を示す斜視説明図である。
【図２】本発明の子供用組立遊具の各組み立てパーツの肋木梯子２０を示す斜視説明図である。
【図３】本発明の子供用組立遊具の各組み立てパーツのクライムウオール３０を示す斜視説明図である。
【図４】本発明の子供用組立遊具の各組み立てパーツの滑り台用湾曲プレート４０を示す斜視説明図である。
【図５】本発明の子供用組立遊具の各組み立てパーツの太鼓橋５０を示す斜視説明図である。
【図６】本発明の子供用組立遊具の各組み立てパーツのネット渡り橋６０を示す斜視説明図である。
【図７】本発明の子供用組立遊具の各組み立てパーツのウエーブ橋７０を示す斜視説明図である。
【図８】本発明の子供用組立遊具の各組み立てパーツのクネクネ（蛇行）橋８０を示す斜視説明図である。
【図９】本発明の子供用組立遊具の各組み立てパーツの太鼓肋木９０を示す斜視説明図である。
【図１０】本発明の子供用組立遊具の各組み立てパーツの連結具３００を示す斜視説明図である。
【図１１】組み立て例１を示す斜視説明図である。
【図１２】組み立て例２を示す斜視説明図である。
【図１３】組み立て例３を示す斜視説明図である。
【図１４】組み立て例４を示す斜視説明図である。
【図１５】組み立て例５を示す斜視説明図である。
【図１６】組み立て例６を示す斜視説明図である。
【図１７】組み立て例７を示す斜視説明図である。
【図１８】組み立て例８を示す斜視説明図である。
【発明を実施するための形態】
【００１５】本発明を実施するための形態を実施例１及び実施例２により詳細に説明する。
【実施例１】
【００１６】図１〜図９には、本発明の実施例１の子供用組立遊具の各組み立てパーツを紹介し、これらを適宜組み合わせた組立遊具の楽しい遊具例を図１０〜図１６にて紹介する。
本例の子供用組立遊具のパーツの例は、図１に示す基台１０と、図２に示す肋木梯子２０と、図３に示すクライムウオール３０と、図４に示す滑り台用湾曲プレート４０と、図５に示す太鼓橋５０と、図６に示すネット渡り橋６０と、図７に示すウエーブ橋７０と、図８に示すクネクネ（蛇行）橋８０と、図９に示す太鼓肋木１００と、これらを適宜に連結するための連結具３００を図１０とからなる。【００１７】図１に示す基台１０は、一対のＨ型エンドプレート１３を鉛直にして互いに平行にして裏面１３ｂを対面させて配置し、この一対のＨ型エンドプレート１３の裏面１３ｂの対面間の上部を座面部材１１で連結しその下方を補強部材１２で連結してなる堅牢構造であり、抵抗なく安全に取り扱うことができる。
基台１０の前記各Ｈ型エンドプレート１３自体は、平坦面の表面１３ａと裏面１３ｂとの間の全端面１３ｅに丸みを付けてあり、また端面１３ｅの近傍の縁部には貫通した複数の連結用の貫通穴ＫＨを穿設すると共に、表面１３ａ側の中央部の左右に突出させた一対の連結用突起１５を設け、この連結用突起１５に連結用の貫通穴ＫＨを穿設し、前記各貫通穴ＫＨには回転防止部ＫＨＲを形成してなる。
Ｈ型エンドプレート１３は、子供に優しい各種カラー素板を複数枚合わせ端面がカラー層状の軽量堅牢な木製合板、各種カラーの単木製やプラスチック製、軽金属製等を用いる。側面には動物絵、風景絵、幾何学的模様、漫画等々楽しい絵を描き子供たちの色彩感覚や絵画感覚を醸成することができる。【００１８】図２に示す縦型の肋木梯子２０は、両側にスタンド２１を有し、スタンド２１間に登り用と、くぐり用の複数本の肋木２２を平行に配置し、当該スタンド２１に前記Ｈ型エンドプレート１３の連結用突起１５の連結用の貫通穴ＫＨと前記連結具３００で連結する同形状の貫通穴ＫＨを有する。【００１９】図３に示すクライムウオール３０は、両側に前記Ｈ型エンドプレート１３の連結用突起１５の連結用の貫通穴ＫＨに貫通する前記連結具３００用の貫通穴ＫＨを有するスタンド３２を設け、当該スタンド３２間において複数個のクライム用突起３３を設けたボード３４を配置してなる。ボード３４の上には肋木３１が渡してある。【００２０】図４に示す滑り台用湾曲プレート４０は、連結具３００用の貫通穴ＫＨを有する保持枠４２つまり手摺り枠を両側に設けてある。滑り台用湾曲プレート４０は表面の滑り面板４１を平面状又は湾曲面状（図例）に形成し、保持枠４２の上端部の貫通穴ＫＨを、Ｈ型エンドプレート１３の上部の貫通穴ＫＨに連結具３００で連結し、下端部を、床面や地面に当接させて滑り台を構成する。【００２１】図５に示す太鼓橋５０は、両側に前記連結具３００用の貫通穴ＫＨを有する上反り湾曲型保持枠５１の間に平行に渡り棒５２と湾曲板５３を設けてある。【００２２】図６に示すネット渡り橋６０は、両側に前記連結具３００用の貫通穴ＫＨを有する保持枠６１の間に前後補強梁６２を連結し防護ネット６３を張設してある。【００２３】図７に示すウエーブ橋７０は、前後両側に前記連結具３００用の貫通穴ＫＨを有するウエーブ型保持枠７１の間に複数の渡り板７２を平行に設けてある。【００２４】図８に示すクネクネ（蛇行）橋８０は、下板８１の前後に連結アーム８２を設け、各連結アーム８２の両側に前記連結具３００用の貫通穴ＫＨを設け、下板８１の上に蛇行板８３、８４を配置してある。【００２５】図９に示す太鼓肋木９０は、両側に前記連結具用の貫通穴ＫＨを有する湾曲型保持枠９１の間に渡り肋木９２を配置してある。【００２６】図１０に示す連結具３００は、材質を軽量堅牢な木製、プラスチック製、軽金属製等から形成して、基台１０に設けた任意の貫通穴ＫＨと、肋木梯子２０、クライムウオール３０、滑り台用湾曲プレート４０、太鼓橋５０、ネット渡り橋６０、ウエーブ橋７０、クネクネ（蛇行）橋８０、太鼓肋木９０等に設けた貫通穴ＫＨとを強固に連結するものである。
この連結具３００の構造は、後部に一方の貫通穴ＫＨの入口周面に当接する鍔３０１を形成し、その顎３０１に前記一方と他方の貫通穴ＫＨの回転防止部ＫＨＲにはまる被回転防止部ＡＲＫを形成した嵌入部３０２を有し、この嵌入部３０２に続いて前記他方の挿入穴ＫＨから突出する部分に雄螺合部３０４を形成したボルト３１０と、前記他方の貫通穴ＫＨの出口周面に緩み防止パッキン３０５を介して当接し前記ボルト３１０の雄螺合部３０４に螺合する雌螺合部３０を形成し表面を安全な半球面状３０７にした鍔３０６付きナット３２０を設けてなる。
前記ナット３２０の緩み防止パッキン３０５は、鍔３０６との挟持の祭及び挟持後に外力が加わってもクッション効果により吸収してＨ型エンドプレート１３を圧潰することはない。このナット３２０には円筒蓋状のスパナＳＰの突起ＳＰ−１を挿入する穴３２１が設けられ、スパナＳＰによる回転締めと緩めが簡単に可能になっている。【００２７】＜組み立て例１＞
図１１にて、基台１０の前部上端部の貫通穴ＫＨに、滑り台用湾曲プレート４０の上部の貫通穴ＫＨを連結具３００で連結した組み立て例１を紹介する。【００２８】＜組み立て例２＞
図１２に、基台１０の前部上端部の貫通穴ＫＨに、太鼓橋５０の上部の貫通穴ＫＨを連結具３００で連結した組み合わせ例を紹介してある。【００２９】＜組み立て例３＞
図１３に、基台１０の上端部の貫通穴ＫＨに滑り台用湾曲プレート４０の上部の貫通穴ＫＨを連結具３００で連結し、基台１０の側部の連結用突起１５の貫通穴ＫＨに、クライムウオール３０のスタンド２１の貫通穴ＫＨを連結具３００で連結した組み合わせ例を紹介してある。【００３０】＜組み立て例４＞
図１４に、基台１０上端部の貫通穴ＫＨに滑り台用湾曲プレート４０の上部の貫通穴ＫＨを連結具３００で連結し、基台１０の側部の連結用突起１５の貫通穴ＫＨに、肋木梯子２０のスタンド３２の貫通穴ＫＨを連結具３００で連結した組み合わせ例を紹介してある。【００３１】＜組み立て例５＞
図１５に、基台１０の上端部の貫通穴ＫＨに滑り台用湾曲プレート４０の上部の貫通穴ＫＨを連結具３００で連結し、基台１０の一側部の連結用突起１５の貫通穴ＫＨに、クライムウオール３０のスタンド２１の貫通穴ＫＨを連結具３００で連結し、基台１０の他側部の連結用突起１５の貫通穴ＫＨに、肋木梯子２０のスタンド３２の貫通穴ＫＨを連結具３００で連結した組み合わせ例を紹介してある。【００３２】＜組み立て例６＞
図１６に、二台の基台１０を用いて一方の基台１０の上部の貫通穴ＫＨに滑り台用湾曲プレート４０の貫通穴ＫＨを連結具３００で連結し、両方の基台１０の貫通穴ＫＨ間にネット渡り橋６０の貫通穴ＫＨを連結具３００で渡し連結し、他方の基台１０の上部の貫通穴ＫＨに太鼓肋木１００の貫通穴ＫＨを連結具３００で連結した組み合わせ例を紹介してある。【００３３】＜組み立て例７＞
図１７に、図１６図例に加えて他方の基台１０と三台目の基台１０の貫通穴ＫＨ間に太鼓橋５０の貫通穴ＫＨを連結具３００で連結した組み合わせ例を紹介してある。【００３４】＜組み立て例８＞
図１８に、三台の基台１０の貫通穴ＫＨとネット渡り橋６０の貫通穴ＫＨと太鼓橋５０の貫通穴ＫＨと太鼓肋木１００の貫通穴ＫＨとクネクネ（蛇行）橋８０の貫通穴ＫＨとウエーブ橋９０の貫通穴ＫＨと滑り台用湾曲プレート４０の貫通穴ＫＨとをそれぞれ連結具３００で連結した組み合わせ例を紹介してある。
このように遊戯場のスペースに応じた各種の組み合わせにより多種多様の楽しく心躍る楽しさ一杯の遊戯施設が迅速簡単に構成することができるため、夢のある子供たちの教養と醸成とチャレンジ性を醸し出す楽園を自由自在になし得る優れた作用効果を得ることができるものである。
【産業上の利用可能性】
【００３５】  本発明の子供用の組立遊具は、前記の優れた作用効果を呈するため、幼稚園、保育園などの幼児教育施設に広く活用され教育産業界を始め家具産業界及び遊具産業界に貢献すること多大なものがある。
【符号の説明】
【００３６】１０：基台
１１：座面部材
１２：補強部材
１３：Ｈ型エンドプレート
１３ａ：表面
１３ｂ：裏面
１３ｅ：全端面
１５：連結用突起
ＫＨ：連結用の貫通穴
ＫＨＲ：回転防止部
２０：肋木梯子
３０：クライムウオール
４０：滑り台用湾曲プレート
５０：太鼓橋
６０：ネット渡り橋
７０：ウエーブ橋
８０：クネクネ（蛇行）橋
９０：太鼓梯子
３００：連結具
【手続補正３】
【補正対象書類名】図面
【補正対象項目名】図１
【補正方法】変更
【補正の内容】
【図１】
2015223498.tif 000021